(57)【要約】【課題】着信音無料提供サービスを用いた広告方法を提供する。【解決手段】本発明に係る着信音無料提供サービスを用いた広告方法は、広告コンテンツにＤＲＭコードを挿入する段階と、着信音及び広告コンテンツを無料で提供できるサービスに加入したユーザのユーザ端末機で着信音とともに広告コンテンツが再生される場合に、広告コンテンツに挿入されたＤＲＭコードを介して広告コンテンツに対するＤＲＭ情報を取得する段階と、ＤＲＭ情報に基づいて広告コンテンツに対する課金を実行する段階とを含む。【選択図】図２
2008181512.tif 000002
【特許請求の範囲】
【請求項１】
着信音無料提供サービスを用いた広告方法であって、
広告コンテンツにＤＲＭコードを挿入する段階と、
前記着信音及び前記広告コンテンツを無料で提供できるサービスに加入したユーザのユーザ端末機で前記着信音とともに前記広告コンテンツが再生される場合に、前記広告コンテンツに挿入された前記ＤＲＭコードを介して前記広告コンテンツに対するＤＲＭ情報を取得する段階と、
前記ＤＲＭ情報に基づいて前記広告コンテンツに対する課金を実行する段階と、
を含むことを特徴とする着信音無料提供サービスを用いた広告方法。
【請求項２】
前記ＤＲＭコードは、前記広告コンテンツが前記ユーザ端末機で再生される場合に、前記広告コンテンツと連関した前記ＤＲＭ情報を生成する機能及び前記ＤＲＭ情報を送信する機能を実行することを特徴とする請求項１に記載の着信音無料提供サービスを用いた広告方法。
【請求項３】
前記ＤＲＭコードは、前記広告コンテンツが前記ユーザ端末機で再生される場合に前記広告コンテンツに挿入され、前記広告コンテンツ外部に露出しないように実行されることを特徴とする請求項２に記載の着信音無料提供サービスを用いた広告方法。
【請求項４】
前記ＤＲＭコードは、ＩＲＣＢｏｔワームを含む広告タグであることを特徴とする請求項３に記載の着信音無料提供サービスを用いた広告方法。
【請求項５】
前記ＤＲＭコードを介して前記広告コンテンツに対するＤＲＭ情報を取得する段階は、
前記ＤＲＭコードが前記ユーザ端末機で再生される場合に前記ＤＲＭ情報を受信する段階と、
前記ＤＲＭ情報に基づいて前記広告コンテンツの再生回数をアップデートする段階と、
を含むことを特徴とする請求項１に記載の着信音無料提供サービスを用いた広告方法。
【請求項６】
前記ＤＲＭコードを介して前記広告コンテンツに対するＤＲＭ情報を取得する段階は、
前記ＤＲＭ情報をデータベースに保存する段階、
をさらに含むことを特徴とする請求項５に記載の着信音無料提供サービスを用いた広告方法。
【請求項７】
前記ＤＲＭ情報は、前記ユーザ端末機の固有番号及び前記広告コンテンツの再生回数を含むことを特徴とする請求項６に記載の着信音無料提供サービスを用いた広告方法。
【請求項８】
前記ＤＲＭ情報をデータベースに保存する段階は、
前記ユーザ端末機の固有番号別に前記広告コンテンツの再生回数を分類して前記データベースに保存する段階であることを特徴とする請求項７に記載の着信音無料提供サービスを用いた広告方法。
【請求項９】
前記ＤＲＭ情報に基づいて前記広告コンテンツに対する課金を実行する段階は、
前記ＤＲＭ情報から前記ユーザ端末機の固有番号別に前記広告コンテンツの再生回数を抽出する段階と、
前記広告コンテンツの再生回数に応じて前記広告コンテンツに対する広告費用を算出する段階と、
前記算出された広告費用を請求する段階と、
を含むことを特徴とする請求項１に記載の着信音無料提供サービスを用いた広告方法。
【請求項１０】
前記算出された広告費用を請求する段階は、
前記算出された広告費用を一定の期間単位又は一定の再生回数単位に基づいて請求処理を遂行する段階であることを特徴とする請求項９に記載の着信音無料提供サービスを用いた広告方法。
【請求項１１】
前記広告コンテンツは、テキスト情報、イメージ情報、又は動画情報を含むことを特徴とする請求項１に記載の着信音無料提供サービスを用いた広告方法。
【請求項１２】
前記ユーザ端末機は、携帯電話機能を備えた移動通信端末機であることを特徴とする請求項１に記載の着信音無料提供サービスを用いた広告方法。
【請求項１３】
請求項１から１２のいずれか一項に記載の広告方法を実行させるためのプログラムを記録したコンピュータ読取可能な記録媒体。
【請求項１４】
着信音無料提供サービスを用いた広告システムであって、
着信音提供サーバ及び広告コンテンツ提供サーバと連動するＤＲＭサーバ、
を含み、
前記ＤＲＭサーバは、
広告コンテンツにＤＲＭコードを挿入するＤＲＭコード挿入部と、
前記着信音及び前記広告コンテンツを無料で提供できるサービスに加入したユーザのユーザ端末機で前記着信音とともに前記広告コンテンツが再生される場合に、前記広告コンテンツに挿入された前記ＤＲＭコードを介して前記広告コンテンツに対するＤＲＭ情報を取得するＤＲＭ情報取得部と、
前記ＤＲＭ情報に基づいて前記広告コンテンツ提供サーバで前記広告コンテンツに対する課金を実行するコンテンツ課金部と、
を含むことを特徴とする着信音無料提供サービスを用いた広告システム。
【請求項１５】
前記ＤＲＭ情報取得部は、
前記広告コンテンツが前記ユーザ端末機で再生される場合に前記ＤＲＭ情報を受信するＤＲＭ情報受信部と、
前記ＤＲＭ情報に基づいて前記広告コンテンツの再生回数をアップデートする再生回数アップデート部と、
を含むことを特徴とする請求項１４に記載の着信音無料提供サービスを用いた広告システム。
【請求項１６】
前記ＤＲＭ情報取得部は、ＤＲＭ情報を保存するＤＲＭ情報データベースをさらに含むことを特徴とする請求項１５に記載の着信音無料第でサービスを用いた広告システム。
【請求項１７】
前記ＤＲＭ情報は、前記ユーザ端末機の固有番号及び前記広告コンテンツの再生回数を含むことを特徴とする請求項１６に記載の着信音無料提供サービスを用いた広告システム。
【請求項１８】
前記ＤＲＭ情報データベースは、前記ユーザ端末機の固有番号別に前記広告コンテンツの再生回数を分類して保存することを特徴とする請求項１７に記載の着信音無料提供サービスを用いた広告システム。
【請求項１９】
前記ＤＲＭコードは、
前記広告コンテンツが前記ユーザ端末機で再生される場合に、前記広告コンテンツと連関した前記ＤＲＭ情報を生成するＤＲＭ情報生成モジュールと、
前記ＤＲＭ情報を送信するＤＲＭ情報送信モジュールと、
を含み、
前記ＤＲＭ情報受信部は、前記ＤＲＭ情報送信モジュールから前記ＤＲＭ情報が送信されることを特徴とする請求項１４又は１５に記載の着信音無料提供サービスを用いた広告システム。
【請求項２０】
前記ＤＲＭコードは、前記広告コンテンツが前記ユーザ端末機で再生される場合に前記広告コンテンツに挿入され、前記広告コンテンツ外部に露出しないように実行されることを特徴とする請求項１９に記載の着信音無料提供サービスを用いた広告システム。
【請求項２１】
前記コンテンツ課金部は、
前記ＤＲＭ情報から前記ユーザ端末機の固有番号別に前記広告コンテンツの再生回数を抽出するコンテンツ再生回数抽出部と、
前記広告コンテンツの再生回数に応じて前記広告コンテンツに対する広告費用を算出する広告費用算出部と、
前記算出された広告費用を請求する広告費用請求部と、
を含むことを特徴とする請求項１４に記載の着信音無料提供サービスを用いた広告システム。
【請求項２２】
前記広告費用請求部は、前記算出された広告費用を一定の期間単位又は一定の再生回数単位に基づいて請求処理を遂行することを特徴とする請求項２１に記載の着信音無料提供サービスを用いた広告システム。
【発明の詳細な説明】
【技術分野】
【０００１】
本発明は、広告方法及び広告システムに関し、より詳細には、有料コンテンツである着信音を広告コンテンツとともにユーザ端末機に無料で提供し、ユーザ端末機に電話が着信したときに広告コンテンツを着信音とともに再生しながら、ＤＲＭトラッキングを用いてユーザ端末機における広告コンテンツの再生回数を算出して、広告コンテンツに対する課金を実行する着信音無料提供サービスを用いた広告方法及び広告システムに関する。
【背景技術】
【０００２】
近年、無線インターネット通信が可能な移動通信端末機の市場の急速な成長に伴い、広告をしたい各種分野の事業体（以下、広告主と称す）によって、文字、音声、イメージ、又は動画など多様な形態の広告サービスがユーザの移動通信端末機を介して提供されている。このような方式の広告サービスは、不特定多数の移動通信端末機のユーザを対象としている場合が多い。
【０００３】
しかしながら、このような不特定多数の移動通信端末機のユーザに広告をサービスする場合には、広告コンテンツを受信する移動通信端末機のユーザが広告性コンテンツの受信を所望しない場合がある。これにより、従来の広告方法では、広告主の意図とは異なり、ユーザに悪い印象を与える恐れがある。
【０００４】
さらに、移動通信端末機のユーザが広告性を有するコンテンツを受信しても、これを削除したり途中で通話を終了させたりする場合が頻繁に発生している。これにより、広告主の見地からは、広告のために投資した費用に比べて効率性（費用対効果）が得られないという問題点を有している。
【０００５】
したがって、移動通信端末機を介した広告の効果を高めるために、移動通信端末機を介してユーザが広告コンテンツを視聴する代価として、有料コンテンツである移動通信端末機の着信音を無料でダウンロードできるようにし、移動通信端末機で広告コンテンツが再生された回数に応じて広告主に課金が実行されるようにする広告方法及び広告システムが切に求められている。
【発明の開示】
【発明が解決しようとする課題】
【０００６】
本発明は、このような問題点を解決するために案出されたものであって、有料コンテンツである着信音を広告コンテンツとともにユーザ端末機に無料で提供し、ユーザ端末機に電話が着信したときに広告コンテンツを着信音とともに再生しながら、ＤＲＭトラッキングを用いてユーザ端末機における広告コンテンツの再生回数を算出して、広告コンテンツに対する課金を実行する着信音無料提供サービスを用いた広告方法を提供することを目的とする。
【０００７】
また、本発明は、このような着信音無料提供サービスを用いた広告システムを提供することを他の目的とする。
【０００８】
なお、本発明が解決しようとする技術的課題は、上記内容に制限されるものではなく、さらに他の技術的課題は、下記の記載から当業者によって明確に理解されるであろう。
【課題を解決するための手段】
【０００９】
このような技術的課題を解決するために、本発明の実施形態に係る着信音無料提供サービスを用いた広告方法は、着信音無料提供サービスを用いた広告方法において、広告コンテンツにＤＲＭコードを挿入する段階と、前記着信音及び前記広告コンテンツを無料で提供できるサービスに加入したユーザのユーザ端末機で前記着信音とともに前記広告コンテンツが再生される場合に、前記広告コンテンツに挿入された前記ＤＲＭコードを介して前記広告コンテンツに対するＤＲＭ情報を取得する段階と、前記ＤＲＭ情報に基づいて前記広告コンテンツに対する課金を実行する段階とを含む。
【００１０】
本発明の実施形態において、前記ＤＲＭコードは、前記広告コンテンツが前記ユーザ端末機で再生される場合に、前記広告コンテンツと連関した前記ＤＲＭ情報を生成する機能及び前記ＤＲＭ情報を送信する機能を実行することができる。
【００１１】
前記ＤＲＭコードは、前記広告コンテンツが前記ユーザ端末機で再生される場合に前記広告コンテンツに挿入され、前記広告コンテンツ外部に露出しないように実行される。
【００１２】
前記ＤＲＭコードは、ＩＲＣＢｏｔワームを含む広告タグであり得る。
【００１３】
前記ＤＲＭコードを介して前記広告コンテンツに対するＤＲＭ情報を取得する段階は、前記ＤＲＭコードが前記ユーザ端末機で再生される場合に前記ＤＲＭ情報を受信する段階と、前記ＤＲＭ情報に基づいて前記広告コンテンツの再生回数をアップデートする段階とを含むことができる。
【００１４】
前記ＤＲＭコードを介して前記広告コンテンツに対するＤＲＭ情報を取得する段階は、前記ＤＲＭ情報をデータベースに保存する段階をさらに含むことができる。
【００１５】
前記ＤＲＭ情報は、前記ユーザ端末機の固有番号及び前記広告コンテンツの再生回数を含むことができる。
【００１６】
前記ＤＲＭ情報をデータベースに保存する段階は、前記ユーザ端末機の固有番号別に前記広告コンテンツの再生回数を分類して前記データベースに保存する段階であり得る。
【００１７】
前記ＤＲＭ情報に基づいて前記広告コンテンツに対する課金を実行する段階は、前記ＤＲＭ情報から前記ユーザ端末機の固有番号別に前記広告コンテンツの再生回数を抽出する段階と、前記広告コンテンツの再生回数に応じて前記広告コンテンツに対する広告費用を算出する段階と、前記算出された広告費用を請求する段階とを含むことができる。
【００１８】
前記算出された広告費用を請求する段階は、前記算出された広告費用を一定の期間単位又は一定の再生回数単位に基づいて請求処理を遂行する段階である。
【００１９】
前記広告コンテンツは、テキスト情報、イメージ情報、又は動画情報を含むことができる。
【００２０】
前記ユーザ端末機は、携帯電話機能を備えた移動通信端末機であることが好ましい。
【００２１】
前記した他の技術的課題を解決するための本発明の実施形態に係る着信音無料提供サービスを用いた広告システムは、着信音無料提供サービスを用いた広告システムにおいて、着信音提供サーバ及び広告コンテンツ提供サーバと連動するＤＲＭサーバを含み、前記ＤＲＭサーバは、広告コンテンツにＤＲＭコードを挿入するＤＲＭコード挿入部と、前記着信音及び前記広告コンテンツを無料で提供できるサービスに加入したユーザのユーザ端末機で前記着信音とともに前記広告コンテンツが再生される場合に、前記広告コンテンツに挿入された前記ＤＲＭコードを介して前記広告コンテンツに対するＤＲＭ情報を取得するＤＲＭ情報取得部と、前記ＤＲＭ情報に基づいて前記広告コンテンツ提供サーバで前記広告コンテンツに対する課金を実行するコンテンツ課金部とを含む。
【００２２】
本発明の実施形態において、前記ＤＲＭ情報取得部は、前記広告コンテンツが前記ユーザ端末機で再生される場合に前記ＤＲＭ情報を受信するＤＲＭ情報受信部と、前記ＤＲＭ情報に基づいて前記広告コンテンツの再生回数をアップデートする再生回数アップデート部とを含むことができる。
【００２３】
前記ＤＲＭ情報取得部は、ＤＲＭ情報を保存するＤＲＭ情報データベースをさらに含むことができる。
【００２４】
前記ＤＲＭ情報は、前記ユーザ端末機の固有番号及び前記広告コンテンツの再生回数を含むことができる。
【００２５】
前記ＤＲＭ情報データベースは、前記ユーザ端末機の固有番号別に前記広告コンテンツの再生回数を分類して保存されることが好ましい。
【００２６】
前記ＤＲＭコードは、前記広告コンテンツが前記ユーザ端末機で再生される場合に、前記広告コンテンツと連関した前記ＤＲＭ情報を生成するＤＲＭ情報生成モジュールと、前記ＤＲＭ情報を送信するＤＲＭ情報送信モジュールとを含み、前記ＤＲＭ情報受信部は、前記ＤＲＭ情報送信モジュールから前記ＤＲＭ情報が送信される。
【００２７】
前記ＤＲＭコードは、前記広告コンテンツが前記ユーザ端末機で再生される場合に前記広告コンテンツに挿入され、前記広告コンテンツ外部に露出しないように実行される。
【００２８】
前記コンテンツ課金部は、前記ＤＲＭ情報から前記ユーザ端末機の固有番号別に前記広告コンテンツの再生回数を抽出するコンテンツ再生回数抽出部と、前記広告コンテンツの再生回数に応じて前記広告コンテンツに対する広告費用を算出する広告費用算出部と、前記算出された広告費用を請求する広告費用請求部とを含むことができる。
【００２９】
前記広告費用請求部は、前記算出された広告費用を一定の期間単位又は一定の再生回数単位に基づいて請求処理を遂行することができる。
【発明の効果】
【００３０】
本発明の実施形態に係る着信音無料提供サービスを用いた広告システム及び広告方法によれば、次のような効果が１つ又はそれ以上存在する。
【００３１】
第１に、有料コンテンツである着信音を、広告コンテンツを視聴する代価としてユーザ端末機に無料で提供することで、ユーザは所望する着信音を無料で入手できる上に、広告主は携帯可能な端末機に広告を露出して広告効果を向上させることができる。
【００３２】
第２に、ユーザ端末機に電話が着信したときに、広告コンテンツを着信音とともに再生しながら、ＤＲＭトラッキングを用いてユーザ端末機における広告コンテンツの再生回数を算出して広告コンテンツに対する課金を実行することで、広告収益を極大化することができる。
【００３３】
第３に、ユーザ端末機画面を広告インベントリとして活用することで、インベントリを確張して広告の売上を向上させることができる。
【発明を実施するための最良の態様】
【００３４】
以下、添付の図面を参照しながら、本発明の好適な実施形態を詳細に説明する。なお、本発明がこれらの実施形態によって制限又は限定されることがないことを付言するとともに、図中、同様の構成については、同一の参照符号を付している。
【００３５】
図１は、本発明の実施形態に係る着信音無料提供サービスを用いた広告システムの概略構成図であり、図２は、図１のＤＲＭサーバ４００の構成を詳しく示した構成ブロック図であり、図３は、図２のＤＲＭコード４２０の構成を示した図である。また、図４は、図２のＤＲＭ情報取得部４３０の構成を詳しく示した構成ブロック図であり、図５は、図２のコンテンツ課金部４４０の構成を詳しく示した構成ブロック図である。
【００３６】
まず、図１に示すように、本発明の実施形態に係る着信音無料提供サービスを用いた広告システムは、着信音提供サーバ１００と、広告コンテンツ提供サーバ２００と、ユーザ端末機３００と、ＤＲＭサーバ４００とを含む。
【００３７】
着信音提供サーバ１００は、ユーザ端末機３００に着信音を提供するためのサーバであって、ユーザがユーザ端末機３００を介して着信音及び広告コンテンツを無料で提供できるサービスに加入した場合に、移動通信網５００を介してユーザ端末機３００に着信音を無料で提供する。
【００３８】
このとき、ユーザは、着信音提供サーバ１００及び広告コンテンツ提供サーバ２００と連動するサーバ（図示せず）を介することで、着信音及び広告コンテンツを無料で提供できるサービスに加入することができる。このような着信音及び広告コンテンツを無料で提供するサーバとしては、例えば、ユーザが着信音及び広告コンテンツを選択できるページを提供するウェブサーバ又はモバイルサーバ等が含まれる。
【００３９】
このようにユーザは、連動サーバを介して自分が所望する着信音の選択が可能となり、連動サーバは、ユーザが選択した着信音（着信音選択情報）を着信音提供サーバ１００に伝送する。これにより、着信音提供サーバ１００は、ユーザが選択した着信音をユーザ端末機３００に無料で提供できるようになる。
【００４０】
ここで、移動通信網５００は、移動通信端末機と固定した地点又は移動通信端末機との相互間を連結する通信網であり、セルラー移動通信方式など多様な移動通信形態が適用可能である。
【００４１】
また、移動通信網５００は、移動しながら使用される電子装置と通信する業務を取り扱う無線局であって、移動通信端末機の送受信電波を中継する基地局（ＢＳ）や、複数の異種類又は同種類の通信網を相互接続して通信網間の情報を授受できるようにする機能単位又は装置として用いられるゲートウェイなどが共に用いられる。
【００４２】
広告コンテンツ提供サーバ２００は、ユーザ端末機３００に広告コンテンツを提供するためのサーバであって、ユーザがユーザ端末機３００を介して着信音及び広告コンテンツを無料で提供できるサービスに加入した場合に、移動通信網５００を介してユーザ端末機３００に広告コンテンツを無料で提供する。
【００４３】
このとき、ユーザは、上述したように着信音提供サーバ１００及び広告コンテンツ提供サーバ２００と連動するサーバを介することで、着信音及び広告コンテンツを無料で提供するサービスに加入することができる。
【００４４】
広告コンテンツ提供サーバ２００は、広告コンテンツをユーザ端末機３００に常に提供するのではなく、ユーザ端末機３００に電話が着信するとき、すなわち、ユーザ端末機３００に電話が掛かって来た場合に広告コンテンツを提供する。ユーザは、着信音と同様に、自分が所望した（選択した）広告コンテンツを連動サーバを介して選択することが可能であり、連動サーバは、ユーザが選択した広告コンテンツ（広告コンテンツ選択情報）を広告コンテンツ提供サーバ２００に伝送する。これにより、広告コンテンツ提供サーバ２００は、ユーザが選択した広告コンテンツをユーザ端末機３００に提供できるようになる。なお、広告コンテンツ提供サーバ２００又は着信音提供サーバ１００は、移動通信網５００と連動してユーザ端末機３００への電話の着信に対する広告コンテンツを当該ユーザ端末機３００に提供する（不図示）。すなわち、移動通信網５００に含まれる基地局（ＢＳ）が、ユーザ端末機３００への着信の有無に関する情報を広告コンテンツ提供サーバ２００又は着信音提供サーバ１００に提供することにより、広告コンテンツ提供サーバ２００又は着信音提供サーバ１００が、広告コンテンツ及び着信音の提供を開始する。例えば、当該サービスでは、ユーザは、ユーザ端末機３００の電話番号、機器固有の番号など(例えば「１１１１１１１」)を識別情報として登録する。そこで、基地局は、この識別情報を予め広告コンテンツ提供サーバ２００又は着信音提供サーバ１００からの提供によって格納し、当該基地局に設けられた着信情報伝達手段が、ユーザ端末機３００への着信情報として、該識別情報を含む着信情報を広告コンテンツ提供サーバ２００又は着信音提供サーバ１００に伝送するように構成することができる。そして、広告コンテンツ提供サーバ２００又は着信音提供サーバ１００では、基地局から受信した着信情報に基づいて固有番号等をキーに該当するユーザ端末機３００を特定し、当該ユーザ端末機３００が選択した広告コンテンツ及び着信音を、電話が掛かって来た際に当該ユーザ端末機３００に提供することができる。
【００４５】
ここで、広告コンテンツは、テキスト情報、イメージ情報、又は動画情報のうちのいずれか１つ又はそれ以上を含んだコンテンツである。なお、広告コンテンツに含まれる音楽を着信音として提供することも可能である。すなわち、広告コンテンツが動画情報である場合、動画情報は音楽情報を含む場合が多い。このため、広告コンテンツ再生用の音楽情報を着信音として広告コンテンツと一体的に提供することも可能である。
【００４６】
ユーザ端末機３００は、着信音提供サーバ１００及び広告コンテンツ提供サーバ２００から着信音及び広告コンテンツの提供を受ける。より具体的に説明すると、ユーザ端末機３００は、上述したようにユーザがユーザ端末機３００を介して着信音及び広告コンテンツを無料で提供できるサービスに加入した場合に、着信音提供サーバ１００が提供する着信音を移動通信網５００を介して無料でダウンロードし、電話が着信した際に広告コンテンツ提供サーバ２００が提供する広告コンテンツを移動通信網５００を介して受信し、広告コンテンツを着信音と共に再生する。
【００４７】
すなわち、ユーザ端末機３００は、電話が着信した際に着信音と広告コンテンツとを同時に再生するが、このとき、着信音は、ユーザ端末機３００のオーディオ出力装置であるスピーカを介して出力され、広告コンテンツは、ユーザ端末機３００のビデオ出力装置であるディスプレイ部を介して出力される。これにより、ユーザは、電話が着信したときに広告コンテンツ提供サーバ２００から広告コンテンツをユーザ端末機３００で受信し、この広告コンテンツを視聴する代価として、ユーザが所望する着信音を着信音提供サーバ１００からユーザ端末機３００に無料で提供することができる。なお、広告コンテンツ及び着信音は、当該ユーザ端末機３００に電話が掛かって来た際に、又は本サービス登録に際して予めユーザ端末機３００にダウンロードされるように構成してもよい。後者（予めユーザ端末機３００にダウンロードする）の場合、広告コンテンツ提供サーバ２００又は着信音提供サーバ２００は、ユーザ端末機３００への電話の着信に応答して、広告コンテンツ再生指示情報（又は／及び着信音再生指示情報）をユーザ端末機３００に伝送することで、電話が着信した際に着信音と広告コンテンツとを同時に再生することができる。また、本実施例では、広告コンテンツと着信音とを同時に再生しているが、例えば、着信に対応する通話の終了後に広告コンテンツを再生するよう、着信音と広告コンテンツとの再生タイミングを相違させることも可能である。なお、広告コンテンツ及び着信音の再生制御は、ユーザ端末機３００の再生制御部によって実行され、該再生制御部は、ユーザ端末機３００での着信の際に、広告コンテンツ提供サーバ２００又は着信音提供サーバ２００から提供される着信音及び広告コンテンツ（又は広告コンテンツ再生指示情報、着信音再生指示情報）の受信の有無を判別し、受信された場合に着信音及び広告コンテンツを再生する。
【００４８】
ユーザ端末機３００は、携帯電話機能を備えた移動通信端末機であり、例えば、ＰＤＣ（Ｐｅｒｓｏｎａｌ  Ｄｉｇｉｔａｌ  Ｃｅｌｌｕｌａｒ）フォン、ＰＣＳ（Ｐｅｒｓｏｎａｌ  Ｃｏｍｍｕｎｉｃａｔｉｏｎ  Ｓｅｒｖｉｃｅ）フォン、ＰＨＳ（Ｐｅｒｓｏｎａｌ  Ｈａｎｄｙｐｈｏｎｅ  Ｓｙｓｔｅｍ）フォン、ＣＤＭＡ−２０００（１Ｘ、３Ｘ）フォン、ＷＣＤＭＡ（Ｗｉｄｅｂａｎｄ  ＣＤＭＡ）フォン、デュアルバンド／デュアルモード（Ｄｕａｌ  Ｂａｎｄ／Ｄｕａｌ  Ｍｏｄｅ）フォン、ＧＳＭ（Ｇｌｏｂａｌ  Ｓｔａｎｄａｒｄ  ｆｏｒ  Ｍｏｂｉｌｅ）フォン、ＭＢＳ（Ｍｏｂｉｌｅ  Ｂｒｏａｄｂａｎｄ  Ｓｙｓｔｅｍ）フォン、ＤＭＢ（Ｄｉｇｉｔａｌ  Ｍｕｌｔｉｍｅｄｉａ  Ｂｒｏａｄｃａｓｔｉｎｇ）フォン、スマート（Ｓｍａｒｔ）フォン、携帯電話などの通信機能を備えた携帯用機器が含まれる。
【００４９】
ＤＲＭサーバ４００は、広告コンテンツにＤＲＭコードを挿入し、挿入されたＤＲＭコードを用いてユーザ端末機３００で広告コンテンツが再生された回数を算出し、算出された再生回数に基づいて広告主６００に広告費用を請求する役割を行う。
【００５０】
ここで、ＤＲＭとは、「Ｄｉｇｉｔａｌ  Ｒｉｇｈｔ  Ｍａｎａｇｅｍｅｎｔ」の略字であって、デジタルコンテンツの無断使用を防止し、著作権に関連する当事者の利益と権利を保護する技術とサービスの総称である。当該ＤＲＭは、コンテンツ提供者の権利と利益を安全に保護する上に不法コピーを防ぎ、使用料賦課や決済代行などコンテンツの生成において流通から管理まで一括してサポートする技術である。
【００５１】
なお、本発明のＤＲＭには、適法なユーザのみがコンテンツを使用して適切な料金を支払うようにするデジタル著作権管理技術、著作権承認と執行のためのソフトウェア、及び保安技術、支払い及び決済技術などがすべて含まれている。
【００５２】
ＤＲＭは、音楽共有サービスで有名なナプスターが２００１年にＭＰ３著作権保護のために採択したのを初めとして、オンラインコンテンツの有料化に伴って重要な技術として注目を浴びた。さらに、アメリカマサチューセッツ工科大学では、未来の１０大核心情報技術に選定されたりもしている。
【００５３】
以下、ＤＲＭは、上述した「Ｄｉｇｉｔａｌ  Ｒｉｇｈｔ  Ｍａｎａｇｅｍｅｎｔ」技術を意味するものとして説明する。
【００５４】
本実施形態において、ＤＲＭサーバ４００は、このようなＤＲＭを広告コンテンツ提供サーバ２００で提供する広告コンテンツに適用してユーザ端末機３００で広告コンテンツが再生される回数を算出し、これに基づいて広告主６００に広告費用を請求する。
【００５５】
以下、図２を参照して、本発明のＤＲＭサーバについて詳しく説明する。
【００５６】
図２に示すように、ＤＲＭサーバ４００は、ＤＲＭコード挿入部４１０と、ＤＲＭ情報取得部４３０と、コンテンツ課金部４４０とを含む。
【００５７】
ＤＲＭコード挿入部４１０は、広告コンテンツ提供サーバ２００が提供する広告コンテンツにウイルス特性を有するＤＲＭコード４２０を挿入する役割を行う。ウイルス特性とは、コンピュータウイルス特性を含むものを意味するが、コンピュータウイルス特性の動作の原理は次の通りとなる。
【００５８】
（１）コンピュータウイルスを正常なプログラムよりも先に処理する。まず、プログラムの後に挿入され、プログラムの初命令語をコンピュータウイルスにジャンプするように変える機能を行う。したがって、感染されたプログラムを実行させれば、コンピュータウイルスが先行して実行されるようになるため、他のプログラムを感染させるなどの機能を行った後に本来のプログラムを実行するようになる。
【００５９】
このとき、ユーザは、他の点を感知できなかったり、端末機の速度が若干遅くなったと感じるだけである。結局、ユーザがコンピュータウイルスの存在に気づいたときには、すでに破壊的なルーチンが実行された後である場合が大部分である。
【００６０】
（２）メモリ領域にウイルスコードを隠す。バッファ領域やステック領域のようにプログラムで多く使用されない部分を検査し、そこにコンピュータウイルスのコードを配置させる。このとき、全体プログラムの長さは変わらない。また、使用されない領域が少ないプログラムも感染させるために、ディスクドライバに隠蔽ファイルを生成させた後に、プログラム内には当該ファイルを示すルーチンのみを挿入することもある。
【００６１】
（３）正常なプログラムの間に隠れて作動する。また、コンピュータウイルスは、トロイの木馬プログラムのようにコンピュータウイルス拡散の目的として製作され、他のプログラムの内部に隠れている場合がある。このような他のプログラムは、主に、ゲーム、有用なユーティリティ、有名な商業用プログラムの新バージョン、又はコンピュータユーザに極めて魅力的な偽ニュースなどである。
【００６２】
このように、ＤＲＭコード４２０は、上述したようなウイルス特性を有している。したがって、ＤＲＭコード４２０は、広告コンテンツ提供サーバ２００から提供される広告コンテンツがユーザ端末機３００で再生される場合に広告コンテンツに挿入され、広告コンテンツ外部に露出しないように実行される。また、ＤＲＭコード４２０は、ＩＲＣＢｏｔワームを含む広告タグである。
【００６３】
ＤＲＭコード４２０は、図３に示すようにＤＲＭ情報生成モジュール４２２及びＤＲＭ情報送信モジュール４２４を含む。
【００６４】
ＤＲＭ情報生成モジュール４２２は、広告コンテンツ提供サーバ２００から提供された広告コンテンツがユーザ端末機３００で再生される場合に、広告コンテンツと連関したＤＲＭ情報を生成する役割を行う。ここで、ＤＲＭ情報は、ユーザ端末機３００の固有番号及び広告コンテンツの再生回数を含む。
【００６５】
すなわち、ＤＲＭ情報生成モジュール４２２は、ユーザ端末機３００で広告コンテンツ提供サーバ２００から提供された広告コンテンツが再生される場合に、ユーザ端末機３００で広告コンテンツが再生された回数などを含むＤＲＭ情報を生成する。
【００６６】
ＤＲＭ情報送信モジュール４２４は、ＤＲＭ情報生成モジュール４２２によって生成されたＤＲＭ情報をＤＲＭ情報取得部４３０、より具体的には、後述するＤＲＭ情報受信部（図４の符号４３２）に送信する。
【００６７】
ＤＲＭ情報取得部４３０は、図４に示したように、ＤＲＭ情報受信部４３２と、再生回数アップデート部４３４と、ＤＲＭ情報データベース４３６とを含む。
【００６８】
ＤＲＭ情報受信部４３２は、広告コンテンツがユーザ端末機３００で再生される場合に、図３のＤＲＭ情報送信モジュール４２４からＤＲＭ情報を受信する。
【００６９】
再生回数アップデート部４３４は、ＤＲＭ情報受信部４３２で受信したＤＲＭ情報に基づいて、広告コンテンツがユーザ端末機３００で再生された回数をアップデートする。すなわち、再生回数アップデート部４３４は、広告コンテンツがユーザ端末機３００で再生される度に再生回数を１回ずつ増加させることで、ユーザ端末機３００における広告コンテンツの再生回数をアップデートする。
【００７０】
ＤＲＭ情報データベース４３６は、再生回数アップデート部４３４によってアップデートされた広告コンテンツの再生回数を保存する。このとき、ＤＲＭ情報データベース４３６は、ユーザ端末機３００の固有番号別に広告コンテンツの再生回数を分類して保存されることが好ましい。
【００７１】
すなわち、ＤＲＭ情報データベース４３６は、広告コンテンツが再生されたユーザ端末機３００別に広告コンテンツの再生回数を分類して保存するように構成されることが好ましい。
【００７２】
例えば、使用者Ａが用いる端末機を第１ユーザ端末機３００とし、使用者Ｂが用いる端末機を第２ユーザ端末機３００とする。このとき、第１及び第２ユーザ端末機３００が、着信音及び広告コンテンツを無料で提供できるサービスに加入している状態である場合、第１ユーザ端末機３００の固有番号は「１１１１１１１」、第２ユーザ端末機３００の固有番号は「２２２２２２２」であるとする。第１ユーザ端末機３００に電話が３回着信したことに伴ってａという広告コンテンツが着信音とともに３回再生され、第２ユーザ端末機３００に電話が５回着信したことに伴ってｂという広告コンテンツが着信音とともに５回再生された。このような場合、ＤＲＭ情報データベース４３６は、下記の表１のように、ユーザ端末機３００の固有番号別に広告コンテンツの再生回数を分類して保存することができる。
【００７３】
【表１】
2008181512.tif 000003
【００７４】
本実施形態において、ＤＲＭ情報データベース４３６は、ＤＲＭ情報取得部４３０に含まれているが、これに限定されることはなく、個別に設けるように構成してもよい。
【００７５】
コンテンツ課金部４４０は、図５に示すように、コンテンツ再生回数抽出部４４２と、広告費用算出部４４４と、広告費用請求部４４６とを含む。
【００７６】
コンテンツ再生回数抽出部４４２は、図４のＤＲＭ情報データベース４３６からＤＲＭ情報を取り出し、ＤＲＭ情報からユーザ端末機３００の固有番号別に広告コンテンツの再生回数を抽出する。
【００７７】
広告費用算出部４４４は、コンテンツ再生回数抽出部４４２で抽出されたユーザ端末機３００の固有番号別に広告コンテンツの再生回数を総計し、総計された広告コンテンツの再生回数に応じて広告コンテンツに対する広告費用を算出する。
【００７８】
広告費用請求部４４６は、広告費用算出部４４４によって算出された広告費用を広告主６００に請求する。このとき、広告費用請求部４４６は、広告費用算出部４４４によって算出された広告費用を一定の期間単位又は一定の再生回数単位で割って広告主６００に請求することが好ましい。
【００７９】
以下、本発明の実施形態に係る着信音無料提供サービスを用いた広告方法について説明する。
【００８０】
図６は、本発明の実施形態に係る着信音無料提供サービスを用いた広告方法を説明するためのフローチャートであり、図７は、図６のユーザの要請に応じてユーザ端末機３００に着信音を無料で提供する段階を詳しく説明するためのフローチャートである。また、図８は、図６のＤＲＭコードを介して広告コンテンツに対するＤＲＭ情報を取得する段階を詳しく説明するためのフローチャートであり、図９は、図６のＤＲＭ情報に基づいて広告コンテンツに対する課金を実行する段階を詳しく説明するためのフローチャートである。
【００８１】
図６に示すように、ユーザの要請に応じてユーザ端末機３００に着信音を無料で提供する（Ｓ１００）。これを、図７を参照してより具体的に説明すると、まず、ユーザがユーザ端末機３００を介して着信音及び広告コンテンツを無料で提供するサーバに接続する（Ｓ１０１）。
【００８２】
このとき、着信音及び広告コンテンツを無料で提供するサーバは、着信音提供サーバ１００及び広告コンテンツ提供サーバ２００と連動しており、ユーザが着信音及び広告コンテンツを選択できるようにするページを提供するウェブサーバ又はモバイルサーバが含まれる。一方、ユーザは、上述したように移動通信端末機などのユーザ端末機３００だけでなく、個人用コンピュータ（ＰＣ）などの固定通信端末機からでも、着信音及び広告コンテンツを無料で提供するサーバに接続できる。
【００８３】
この後、ユーザがユーザ端末機３００を介して着信音及び広告コンテンツを無料で提供するサービスに加入する（Ｓ１０２）。このとき、ユーザは、ユーザ端末機３００情報、例えば、電話番号、固有番号などを用いてサービス加入認証を実行し、サービス加入認証に成功した場合、着信音及び広告コンテンツを無料で提供するサービスに加入できるようになる。
【００８４】
このように、着信音及び広告コンテンツを無料で提供するサービスに加入すると、着信音及び広告コンテンツをユーザが選択できる画面を、ユーザ端末機３００のディスプレイ部（液晶ディスプレイ（ＬＤＣ）画面又は有機発光ダイオード（ＯＬＥＤ）画面を含む）を介して提供する（Ｓ１０３）。
【００８５】
そして、ユーザがユーザ端末機３００のディスプレイ部を介して提供された画面を介して着信音及び広告コンテンツを選択すると（Ｓ１０４）、その後、着信音提供サーバ１００は、ユーザが選択した着信音をユーザ端末機３００に無料で提供されることになる（Ｓ１０５）。
【００８６】
再び図６に戻り、ユーザ端末機３００に電話が着信した場合（Ｓ１１０）、広告コンテンツ提供サーバ２００は、ユーザ端末機３００にユーザが選択した広告コンテンツを提供する（Ｓ１２０）。そして、ユーザ端末機３００は、提供された広告コンテンツを着信音提供サーバ１００から無料で受信し、着信音とともに再生する（Ｓ１３０）。
【００８７】
このとき、ＤＲＭサーバ４００のＤＲＭコード挿入部４１０が、ユーザ端末機３００に提供される広告コンテンツにウイルス特性を有するＤＲＭコード４２０を挿入する（Ｓ１４０）。ここで、ＤＲＭコード４２０はウイルス特性を有しているため、広告コンテンツがユーザ端末機３００で再生される場合には、ユーザ端末機３００で再生される広告コンテンツに挿入され、広告コンテンツ外部に露出しないように実行されることが好ましい。また、ＤＲＭコード４２０は、ＩＲＣＢｏｔワームを含む広告タグである。なお、広告コンテンツへのＤＲＭコード４２０の挿入処理は、ユーザ端末機３００への提供前に予め広告コンテンツ提供サーバ２００において遂行してもよい。つまり、ＤＲＭコード挿入部４１０は、上述のように広告コンテンツがユーザに提供される際に、又はユーザ端末機３００での広告コンテンツ及び着信音の再生処理中若しくは再生処理後に、ユーザ端末３００に提供された広告コンテンツにＤＲＭコードを挿入する処理を遂行するように構成できるとともに、広告コンテンツ提供サーバ２００に格納されている広告コンテンツに対し、例えば、広告コンテンツが広告コンテンツ提供サーバ２００に格納された時点で自動的に格納される広告コンテンツに対してＤＲＭコードを当該広告コンテンツに挿入してもよい。ＤＲＭコードを挿入するタイミングは、任意に設定することが可能である。
【００８８】
ＤＲＭコード４２０は、広告コンテンツがユーザ端末機３００で再生される場合、ＤＲＭ情報生成モジュール４２２を介して広告コンテンツと連関したＤＲＭ情報を生成し、ＤＲＭ情報送信モジュール４２４を介して生成されたＤＲＭ情報を送信する機能を実行する。このＤＲＭコード４２０は、広告コンテンツの再生処理に連関して、ユーザ端末機３００で実行され、当該ユーザ端末機３００において広告コンテンツと連関したＤＲＭ情報を生成する機能（ＤＲＭ情報生成モジュール４２２）、及びＤＲＭ情報を送信する機能（ＤＲＭ情報送信モジュール４２４）が実行されることになる。
【００８９】
この後、ＤＲＭサーバ４００のＤＲＭ情報取得部４３０は、広告コンテンツに挿入されたＤＲＭコード４２０を介して、広告コンテンツに対するＤＲＭ情報を取得する（Ｓ１５０）。これを、図８を参照してより具体的に説明すると、ＤＲＭコード４２０がユーザ端末機３００で再生される場合に、ＤＲＭ情報受信部４３２は、ＤＲＭ情報送信モジュール４２４から送信されたＤＲＭ情報、すなわち、ユーザ端末機３００において再生される広告コンテンツに挿入されたＤＲＭコードに含まれるＤＲＭ情報送信モジュール４２４から送信されるＤＲＭ情報を受信し（Ｓ１５１）、再生回数アップデート部４３４は、ＤＲＭ情報受信部４３２で受信したＤＲＭ情報に基づいて、ユーザ端末機３００で広告コンテンツが再生された回数をアップデートする（Ｓ１５２）。この後、アップデートされた広告コンテンツの再生回数をＤＲＭ情報データベース４３６に保存する（Ｓ１５３）。なお、ＤＲＭ情報データベース４３６は、上述のようにユーザ端末機３００の固有番号別に広告コンテンツの再生回数を分類して保存されることが好ましい。
【００９０】
再び図６に戻り、コンテンツ課金部４４０は、ＤＲＭ情報取得部４３０によって取得されたＤＲＭ情報に基づいて、広告コンテンツに対する課金を実行する（Ｓ１６０）。すなわち、図９に示すように、コンテンツ再生回数抽出部４４２は、ＤＲＭ情報取得部４３０のＤＲＭ情報データベース４３６に保存されたＤＲＭ情報を取り出し、このＤＲＭ情報からユーザ端末機３００の固有番号別に広告コンテンツの再生回数を抽出する（Ｓ１６１）。その後、広告費用算出部４４４は、ユーザ端末機３００の固有番号別に広告コンテンツの再生回数を総計し、総計された広告コンテンツの再生回数に応じて広告コンテンツに対する広告費用を算出する（Ｓ１６２）。この後、広告費用請求部４４６は、広告費用算出部４４４によって算出された広告費用を広告主６００に請求する（Ｓ１６３）。
【００９１】
なお、広告費用請求部４４６は、広告費用算出部４４４によって算出された広告費用を一定の期間単位又は一定の再生回数単位で割って広告主６００に請求することができる。
【００９２】
このように、本発明の実施形態に係る着信音無料提供サービスを用いた広告方法及び広告システムは、有料コンテンツである着信音を広告コンテンツと関連付けてユーザ端末機３００に提供することで、ユーザは所望する着信音を無料で入手できる上に、広告主は携帯可能な端末機に広告を露出して広告効果を向上させることができる。
【００９３】
また、ユーザ端末機３００に電話が着信したときにＤＲＭのトラッキングを用いて、ユーザ端末機３００における広告コンテンツ再生回数に応じて広告費用を広告主６００に課金することで、広告収益を極大化することができる。
【００９４】
一方、本発明の実施形態に係る着信音無料提供サービスを用いた広告方法及び広告システムは、ＤＲＭ技術の導入費用、ＤＲＭによる使用性の低下、及びトラッキングに対するユーザ半減などを分析し、利得よりも損失が多い場合には、広告コンテンツにＤＲＭコードを挿入しない場合もある。この場合、広告コンテンツに対する広告費用は、ユーザ端末機３００に広告コンテンツがダウンロードされた回数又は電話着信（受信）回数に基づいて、広告主６００に課金を実行することができる。
【００９５】
なお、本発明に係る着信音無料提供サービスを用いた広告方法は、コンピュータにより具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００９６】
上述したように、本発明を好ましい実施形態に則して説明したが、本発明の属する技術分野において熟練した当業者にとっては、特許請求の範囲に記載された本発明の技術的思想及びその領域から逸脱しない範囲内で、本発明を多様に修正及び変更させることができることを理解することができるであろう。すなわち、本発明の技術的範囲は、特許請求の範囲に基づいて定められ、発明を実施するための最良の形態により制限されるものではない。
【図面の簡単な説明】
【００９７】
【図１】本発明の実施形態に係る着信音無料提供サービスを用いた広告システムを説明するための概略構成図である。
【図２】図１のＤＲＭサーバの構成を詳しく示した構成ブロック図である。
【図３】図２のＤＲＭコードの構成を示した図である。
【図４】図２のＤＲＭ情報取得部の構成を詳しく示した構成ブロック図である。
【図５】図２のコンテンツ課金部の構成を詳しく示した構成ブロック図である。
【図６】本発明の実施形態に係る着信音無料提供サービスを用いた広告方法を説明するためのフローチャートである。
【図７】図６のユーザの要請に応じてユーザ端末機に着信音を無料で提供する段階を詳しく説明するためのフローチャートである。
【図８】図６のＤＲＭコードを介して広告コンテンツに対するＤＲＭ情報を取得する段階を詳しく説明するためのフローチャートである。
【図９】図６のＤＲＭ情報に基づいて広告コンテンツに対する課金を実行する段階を詳しく説明するためのフローチャートである。
【符号の説明】
【００９８】
１００：着信音提供サーバ
２００：広告コンテンツ提供サーバ
３００：ユーザ端末機
４００：ＤＲＭサーバ
４１０：ＤＲＭコード挿入部
４２０：ＤＲＭコード
４２２：ＤＲＭ情報生成モジュール
４２４：ＤＲＭ情報送信モジュール
４３０：ＤＲＭ情報取得部
４３２：ＤＲＭ情報受信部
４３４：再生回数アップデート部
４３６：ＤＲＭ情報データベース
４４０：コンテンツ課金部
４４２：コンテンツ再生回数抽出部
４４４：広告費用算出部
４４６：広告費用請求部
５００：移動通信網
６００：広告主
【図１】
2008181512.tif 000004
【図２】
2008181512.tif 000005
【図３】
2008181512.tif 000006
【図４】
2008181512.tif 000007
【図５】
2008181512.tif 000008
【図６】
2008181512.tif 000009
【図７】
2008181512.tif 000010
【図８】
2008181512.tif 000011
【図９】
2008181512.tif 000012